(57)【要約】【課題】  保持力を弱めることなく被固定部材の取り外し動作が容易な保持部材を提供する。【解決手段】  被固定部材(11)へ固定され、磁性体材料からなる被保持部材(30)を保持するための保持部材(20)である。  被固定部材(11)と保持部材(20)とを固定するための固定部材(22)と、その固定部材(22)を介して被固定部材(11)へ固定される板状部(21)と、その板状部(21)から被固定部材(11)とは反対側へ突出する山型部(23)と、その山型部(23)へ内蔵される磁石(29)と、を備え、  前記の山型部(23)は、磁力を透過する材料にて形成する。【選択図】  図４
2015047119.tif 000002
【特許請求の範囲】
【請求項１】
被固定部材へ固定され、磁性体材料を含む被保持部材を保持するための保持部材(20)であって、
前記の被固定部材と保持部材とを固定するための固定部材と、
その固定部材を介して被固定部材へ固定される板状部と、
その板状部から被固定部材とは反対側へ突出する山型部と、
その山型部へ内蔵される磁石と、を備えを備え、
前記の山型部は、磁力を透過する材料にて形成した保持部材。
【請求項２】
前記の山型部は、前記の板状部から離れる方向へ先細りする円錐台形状とした請求項１に記載の保持部材。
【請求項３】
前記の板状部は、前記の山型部における板状部側よりも広く形成した請求項１または請求項２のいずれかに記載した保持部材。
【請求項４】
前記の板状部および山型部は、軟質材料とし、前記の磁石はネオジム系焼結磁石とした請求項１から請求項３のいずれかに記載した保持部材。
【発明の詳細な説明】
【技術分野】
【０００１】
本発明は、磁石による磁力を用いて磁性体材料を保持する部材、より具体的には、針やクリップなどの磁性体材料を、一時的に保持する部材に関する。
【背景技術】
【０００２】
特許文献１には、身体の腰部や腕、脚に嵌めておくことによって、簡単にツールを取り付け取り外しできるツール吸着ベルトが開示されている。そのベルトのバックルには、磁石およびツールの収納空間を備えている。
【０００３】
特許文献２には、保持部に引っかかっている針に繋がってハリス同士が絡まったり、針が不用意に外れたりすることのないようにする釣り針保持具が開示されている。その釣り針保持部材は、船べりなどへ固定して用いるものであり、板状の磁石と、その磁石における船べりとは反対側の面へ釣り針が引っ掛かる保持部とが形成される。そして、その保持部は、細いモノフィラメントを綿状に絡めたマット状柔軟材にて形成されている。前記のモノフィラメントは、たとえば、ナイロン、ビニロン、ポリプロピレン、塩化ビニル等の合成樹脂製とする。
【先行技術文献】
【特許文献】
【０００４】
【特許文献１】特開２００３−１３３１９号公報
【特許文献２】特開２００５−２５３４４１号公報
【発明の概要】
【発明が解決しようとする課題】
【０００５】
先行技術文献に開示された技術では、以下のような課題が残っている。
特許文献１に開示された技術では、ベルトを装着できる箇所にしか、ツールの取り付け取り外しをする場所を設定できない。
【０００６】
また、特許文献２に開示された技術では、釣り針（被固定部材）を保持部へ保持させてそれを取り外す場合、釣り針をつまむ指が入れにくい、という問題がある。保持力を高めるために磁力の強い磁石を採用すると、つまむ動作がしにくい。釣り針（被固定部材）の取り外しをしやすいように磁力を弱めてしまっては、保持力も弱まってしまう。
【０００７】
本発明が解決しようとする課題は、保持力を弱めることなく被固定部材の取り外し動作が容易な保持部材を提供することにある。
【課題を解決するための手段】
【０００８】
（第一の発明）
第一の発明は、被固定部材(11)へ固定され、磁性体材料を含む被保持部材(30)を保持するための保持部材(20)に係る。
前記の被固定部材(11)と保持部材(20)とを固定するための固定部材(22)と、  その固定部材(22)を介して被固定部材(11)へ固定される板状部(21)と、  その板状部(21)から被固定部材(11)とは反対側へ突出する山型部(23)と、  その山型部(23)へ内蔵される磁石(29)と、を備え、  前記の山型部(23)は、磁力を透過する材料にて形成した保持部材(20)に係る。
【０００９】
（用語説明）
「被固定部材(11)」とは、被保持部材(30)を保持しておくのに便利な部材である。被保持部材(30)が釣り針であれば、被固定部材(11)はクーラーボックス（の蓋）、釣り用帽子（の庇部分や耳上部分など）、釣り船における竿フォルダなどである。被保持部材(30)がクリップであれば、被固定部材(11)は筆入れ（の蓋）、ノートの表紙などである。
「固定部材(22)」とは、両面テープ（板状部21と被固定部材11とに貼付される）、粘着剤などである。
「被保持部材(30)」とは、釣り針、クリップ、ネジやボルトナット類などである。
「磁石(29)」は、永久磁石である。たとえば、ネオジム系焼結磁石のように小さくても磁力が強いものは、本願発明に適している。
「磁力を透過する材料」とは、たとえば熱可塑性樹脂、合成ゴム（たとえばシリコンゴム）などである。山型部(23)のみならず、板状部(21)までを同一材料にて形成しても良い。
「山型部(23)」は、他の請求項で限定する「先細りする円錐台形状」に限られない。山の頂部分と板状部(21)との距離(Ｈ)を確保することができる形状であればよい。山型部(23)の垂直断面形状が非対称形でもよい。
【００１０】
（作用）
被固定部材(11)へ保持部材(20)を、固定部材(22)によって固定する。  その固定部材(22)を介して、板状部(21)が被固定部材(11)へ固定される。このとき、板状部(21)からは山型部(23)が、被固定部材(11)とは反対側へ突出し、その山型部(23)には磁石(29)が内蔵されている。
このような保持部材(20)における山型部(23)は磁力を透過する材料にて形成されているので、磁性体材料からなる被保持部材(30)を保持することができる。
山型部(23)は板状部(21)から突出しているので、保持された被保持部材(30)を引き離そうとする場合に、被保持部材(30)を摘んだり掴んだりしやすい。
【００１１】
（第一の発明のバリエーション１）
第一の発明における山型部(23)は、前記の板状部(21)から離れる方向へ先細りする円錐台形状としてもよい。
【００１２】
（作用）
板状部(21)から離れる方向へ先細りする円錐台形状をなしていることで、方向性が無くなり、いずれの方向からも被保持部材(30)を摘んだり掴んだりする際に、指や手を入れる方向の選択の余地ができる。これによって、保持力を弱めることなく被固定部材の取り外し動作が容易となる。
【００１３】
円錐台形状の場合には、その直径寸法は、磁石における磁束密度が最大となる面を含む寸法よりもやや大きい程度が望ましい。
【００１４】
（第一の発明のバリエーション２）
第一の発明は、  前記の板状部(21)は、前記の山型部(23)における板状部(21)側よりも広く形成すると、より好ましい。
【００１５】
（作用）
板状部(21)が前記の山型部(23)における板状部(21)側よりも広く形成されているので、固定部材(22)による被固定部材(11)への固定が強固となり、使いやすく、長期間の使用にも寄与する。
【００１６】
（第一の発明のバリエーション３）
第一の発明においては、前記の板状部(21)および山型部(23)は軟質材料とし、前記の磁石はネオジム系焼結磁石とすると、より好ましい。
【００１７】
（作用）
ネオジム系焼結磁石を採用したことにより、被保持部材(30)を強く保持することができる。その結果、保持部材を色々な被固定部材(11)、たとえば帽子のように軟らかくて動きがあるような部材へ設置しても、被保持部材(30)を安定して保持できる。
また、板状部(21)および山型部(23)に軟質材料を採用しているので、被保持部材(30)の着脱の際に被保持部材(30)を傷つけにくく、作業者にとっては手触りがよい。
【発明の効果】
【００１８】
第一の発明によれば、保持力を弱めることなく被固定部材の取り外し動作が容易な保持部材を提供することができた。
【図面の簡単な説明】
【００１９】
【図１】本発明の実施形態として、クーラーボックスへ保持部材を取り付けた様子を示す斜視図である。
【図２】保持部材の主要部を示す斜視図である。
【図３】保持部材の主要部を示す断面図である。その断面は、図２においてＩ−Ｉとして示している。
【図４】保持部材の使用状態を示す斜視図である。
【図５】保持部材のバリエーションを示す主要部の断面図である。
【発明を実施するための形態】
【００２０】
以下、本発明の実施形態について図面を参照して説明する。ここで使用する図面は、図１から図５である。
【００２１】
図１は、被固定部材としてのクーラーボックス１０の蓋部材１１へ固定され、磁性体材料である被保持部材としての釣り針３０を保持するための保持部材２０を示したものである。
なお、被固定部材は、前記の蓋部材１１のほかには、釣り用帽子（の庇部分や耳上部分など）、釣り船における竿フォルダなどがありえる。
また、被保持部材としては、釣り針３０のほかには、鋼やステンレスなどの磁性体材料にて製造された部位を含む部材、たとえばクリップ、ボルトナットなどである。
【００２２】
図３に示すように、保持部材２０は、  前記の蓋部材１１と保持部材２０とを固定するための固定部材２２としての両面テープ２２と、  その両面テープ２２を介して蓋部材１１へ固定される板状部２１と、  その板状部２１から蓋部材１１とは反対側へ突出する山型部２３と、  その山型部２３に設けられた磁石収納部２５へ内蔵される磁石２９と、を備える。
前記の山型部２３は、磁力を透過する材料、たとえばシリコンゴムにて、板状部２１から一体に成形されている。山型部２３の内側には、磁石保持部２５としての円筒形の空間が備えられている。
【００２３】
両面テープ２２は、粘着シートの両面を剥離紙２２Ａ，２２Ａにて挟んで提供される。そして、一面の剥離紙２２Ａを剥がし、ネオジム系焼結磁石である円柱形の磁石２９を磁石保持部２５へ挿入してから、粘着面にて板状部２１における反山型部２３側（図１では蓋部材１１側）の面へ貼付する。
【００２４】
山型部２３は、図２および図３にて示しているように、板状部２１から離れる方向へ先細りする円錐台形状をなしている。平頂部２４は直径４ミリメートルで傾斜角度は４５度、板状部２１の直径は１５ミリメートルで厚さは１ミリメートル強、磁石２９の直径および高さは約３ミリメートル、とした。
磁石保持部２５は、山型部２３の角部（平頂部２４と交わる部位）との距離が最も短くなるようにしている。そのため、山型部２３の角部が最も磁力が強くなるので、釣り針３０が平頂部２４へ保持されることとなる。
【００２５】
この形状を採択したこと、磁石にネオジム系を採用したこと、および山型部２３における平頂部２４の肉厚を０．３ミリメートルと薄くしていること、山型部２３が傾斜を備えていることなどの条件によって、釣り針３０は平頂部２４へ強く吸着される。そして、吸着された状態が安定する（図４参照）。
なお、被固定部材が帽子であっても、釣り針３０が別の何かに触れることなく外れることは、ほとんどない。
【００２６】
図４では、保持部材２０へ保持された釣り針３０を、釣り人が取り外そうとしている状態を図示している。
山型部２３の平頂部２４へ吸着された釣り針３０の針先３１は、蓋部材１１の上面と所定の距離（図４中の「Ｈ」、約３．５ミリメートル）だけ浮いている。この保持高さＨが確保されていることによって、釣り人は指を保持高さＨへ差し入れることができ、釣り針３０を保持部材２０から安全に取り外すことができる。
【００２７】
図５では、山型部２３の形状として、平頂部２４の代わりに丸頂部２４Ａを採用している。この場合、丸頂部２４Ａにおける磁性体の吸着力は頂上付近で最も強くならないため、被保持部材は斜面へ吸着される。  被保持部材の形状や使い道によっては、丸頂部２４Ａの方が着脱しやすい場合もあるので、被保持部材の種類によって、使い分ける。
【００２８】
なお、平頂部２４、丸頂部２４Ａの他の形状を採用してもよい。たとえば、平頂部において、釣り針の直径程度の寸法を径とする溝を備えると、その溝に釣り針が収まりやすくなる。釣り針の向きを規制したい場合には有効である。
また、平頂部２４を採用したとしても、磁石保持部２５の軸方向を板状部２１に対して直角とせずに斜めの角度とすることで、平頂部２４に発生する磁力をあえて不均一とする、といったバリエーションを採用しても良い。
【００２９】
前述した二つの実施形態では、被保持部材に応じて着脱しやすい保持部材を提供することができる旨、説明した。
【産業上の利用可能性】
【００３０】
本発明は、釣り具の製造業、釣用衣服を含むアウトドアウェアの製造業、販売業またはレンタル業、アウトドアスポーツのインストラクター事業などにおいて、利用可能性を有する。
【符号の説明】
【００３１】
１０；  クーラーボックス                  １１；  蓋部材（被固定部材）
２０；  針保持部材（釣り針ホルダ）        ２１；  板状部
２２；  固定部材（両面テープ）            ２２Ａ；剥離紙
２３；  山型部
２４；  平頂部                            ２４Ａ；丸頂部
２５；  磁石保持部
２９；  磁石
３０；  被保持部材（釣り針）              ３１；  針先
Ｈ  ；  保持高さ
【図１】
2015047119.tif 000003
【図２】
2015047119.tif 000004
【図３】
2015047119.tif 000005
【図４】
2015047119.tif 000006
【図５】
2015047119.tif 000007